(57)【要約】  本発明は、新規な機能を有するスマートはかりを提案する。  本発明のスマートはかり１００は、哺乳瓶を載せるハウジングフロントを有し、ハウジングフロントには哺乳瓶の重さを測定する領域があり、また、好ましくは授乳灯が設置されている。本発明のスマートはかり１００は実際に授乳した粉乳の量（授乳量）を適切に測定することができるだけでなく、スマートフォンとペアリングを介して、授乳履歴を貯蔵し管理し照会する機能を提供する。また、真夜中の暗い授乳環境にも適切な灯りを提供することで、子供をケアする全ての親を利する。【選択図】図３
2019529864.tif 000002
【特許請求の範囲】
【請求項１】
ハウジングの内部に電子ディバイスを収容し、ハウジングフロントは哺乳瓶の重さを量る領域があり、また、前記ハウジングには表示エレメント及び入力エレメントが設置されるスマートはかりであって、
前記電子ディバイスは、オブジェクトの重さを測定する重さセンサと、外部のスマートフォント近距離無線通信する無線通信モジュールと、充電または切替可能なバッテリと、前記重さセンサと無線通信モジュールと通信してスマートはかりの動作を制御する制御部と、を含み、
前記重さセンサが測定した前記哺乳瓶の重さデータを、予め設定された使用者の前記外部のスマートフォンに授乳履歴データとして伝送することを特徴とする授乳管理機能を有するスマートはかり。
【請求項２】
前記スマートはかりは授乳灯を含み、
前記制御部は、授乳灯ボタンの入力イベントに応じて前記授乳灯の状態を調節する、請求項１に記載の授乳管理機能を有するスマートはかり。
【請求項３】
前記制御部は、前記入力エレメントの入力イベントに応じて生成される睡眠履歴データを、前記無線通信モジュールを介して前記外部のスマートフォンに伝送する、請求項１に記載の授乳管理機能を有するスマートはかり。
【請求項４】
前記電子ディバイスはデータを保管する外部貯蔵部を含み、
前記制御部は、前記外部のスマートフォンとの通信が行われない際、前記重さセンサから測定したデータまたは前記入力エレメントの入力イベントに応じて決められるデータを前記貯蔵部に予め貯蔵するようにし、前記外部のスマートフォンとの通信を介して前記貯蔵部にあるデータを前記スマートフォンに伝送するように動作を制御するものである、請求項１に記載の授乳管理機能を有するスマートはかり。
【請求項５】
前記スマートはかりは温度センサ及び／または湿度センサを更に含む請求項１に記載の授乳管理機能を有するスマートはかり。
【請求項６】
前記ハウジングの外部に設置されて前記スマートはかりを把持するかかけて使用するように提供される掛け手段を更に含む、請求項１に記載の授乳管理機能を有するスマートはかり。
【請求項７】
前記制御部は、前記入力エレメントの入力イベントに応じて生成される排便に関するデータを、前記無線通信モジュールを介して前記外部のスマートフォンに伝送する、請求項１に記載の授乳管理機能を有するスマートはかり。
【発明の詳細な説明】
【技術分野】
【０００１】
本発明はセンサと通信技術に関し、特にそのような技術を授乳管理方法に取り入れるモノのインターネット技術に関する。
【背景技術】
【０００２】
親は母乳または粉乳を子供に授乳する。母が直接母乳を授乳する場合ではなければ、殆ど哺乳瓶を利用して授乳する。この場合、適切な温度と適切な授乳量が重要である。従来は、人体の感覚を利用して授乳温度や授乳量を概略に測定していた。しかし、次第に技術を利用して正確に温度を測定し、授乳の回数と授乳量を記録している。
【０００３】
例えば、温度を測定するセンサ技術を哺乳瓶に取り入れる方法があった。例えば、特許文献１は温度表示哺乳瓶を提案している。哺乳瓶の容器に温度計を設置する構成である。このような技術としては、詳細な構成は異なるが、特許文献２、特許文献３などが挙げられる。しかし、このような従来技術では授乳量を測定するか管理することができない問題点があった。親は授乳に慣れがちであり、そのため思ったより授乳温度は親にとって問題にならない。温度は授乳するその時点に問題になるが、授乳をしたとたんにその問題は解決されてしまう。しかし、いつ、どれだけの量で授乳をしたのかはよく忘れがちである。そのため、今はどれだけの量で授乳した方がいいのか判断できないときもある。要するに、授乳に関して親を悩ませる最も大きい問題は、授乳量の正確な管理であったといえる。
【０００４】
一方、授乳量を測定する手段を哺乳瓶に設置するとしても、それを哺乳瓶にどのように取り付けるのかが漠然である。過去の授乳量・授乳回数のデータまで含めて、現在の授乳量までをどのように統合して効果的に管理するのかについては、従来技術ではよく知られていなかった。かたくなに効用性のみを考えることはできない。その効用性のためにどんなものが犠牲になるのか、そのような副作用が生じるのかを考えざるを得ない。製作時の不便さと困難さ、経済的な副作用、哺乳瓶を使用する使用者が常に望む清潔さや便利さ、管理などについて考えをめぐらすべきである。
【先行技術文献】
【特許文献】
【０００５】
【特許文献１】韓国特許公報  第１０−２０１１−０１２７３７号
【特許文献２】韓国特許公報  第１０−２０１２−０１２２４８２号
【特許文献３】韓国特許公報  第１０−２００８−００１００７４号
【発明の概要】
【発明が解決しようとする課題】
【０００６】
そこで、本発明の発明者らはこのような問題点と事項を解決するために長年研究し試行錯誤を経て開発した末、本発明を完成するに至った。
【０００７】
本発明の目的は、基本的に授乳量を測定し、授乳履歴を管理し得る方法を提供することにある。そのために、専用アプリケーションソフトウェアが設置されているユーザのスマートフォンとの近距離無線通信が必要であるとの条件を定義することができた。ところが、哺乳瓶自体には授乳量を測定し管理する機能を付加することができなかった。そうすると、新たな概念の哺乳瓶を製造しなければならない不便さがあり、また、これは哺乳瓶使用の汎用性を侵害する恐れがある。授乳量を測定しながらも管理し得る新しいディバイスが必要である。しかし、このような質問に遭遇してしまった。
【０００８】
「そうだ、新しいディバイスを作ろう。でも、使用者がそのようなディバイスを本当に必要とするのだろうか。」
本発明者らはこのような質問に答えるために、幼児に授乳する状況をより深く研究した結果、食べること、寝ること、排便することが分離されない幼児の特性を重要に考えるようになった。また、幼児の授乳、睡眠、排便のうちいずれか一つのみを分離して心配するのではなく、これらの全ての要素を心配する親の特性も重要に考えるようになった。もし、新しいディバイスが上述した幼児と親の特性を充足する統合的な技術ソリューションを提供することができれば、使用者のニーズに更に附合すると考えられる。これこそが本発明の他の目的である。
【０００９】
一方、本発明の明示されていない他の目的は、下記詳細な説明及びその効果から容易に推論し得る範囲内で追加的に考慮されるはずである。
【課題を解決するための手段】
【００１０】
このような課題を達成するために、本発明は、ハウジングの内部に電子ディバイスを収容し、ハウジングフロントは哺乳瓶の重さを量る領域があり、また、前記ハウジングには表示エレメント及び入力エレメントが設置されるスマートはかりであって、
前記電子ディバイスは、 オブジェクトの重さを測定する重さセンサと、外部のスマートフォンと近距離無線通信する無線通信モジュールと、充電または切替可能なバッテリと、前記重さセンサと無線通信モジュールと通信してスマートはかりの動作を制御する制御部と、を含み、
前記重さセンサが測定した前記哺乳瓶の重さデータを、予め設定された使用者の前記外部のスマートフォンに授乳履歴データとして伝送することを特徴とする。
【００１１】
本発明の好ましいある実施例によるスマートはかりにおいて、前記スマートはかりは授乳灯を含み、
前記制御部は、授乳灯ボタンの入力イベントに応じて前記授乳灯の状態を調節する。
【００１２】
本発明の好ましいある実施例によるスマートはかりにおいて、前記制御部は、前記入力エレメントの入力イベントに応じて生成される睡眠履歴データを、前記無線通信モジュールを介して前記外部のスマートフォンに伝送する。
【００１３】
また、本発明の好ましいある実施例によるスマートはかりにおいて、前記電子ディバイスはデータを保管する貯蔵部を含み、
前記制御部は、前記外部のスマートフォンとの通信が行われない際、前記重さセンサから測定したデータまたは前記入力エレメントの入力イベントに応じて決められるデータを前記貯蔵部に予め貯蔵するようにし、前記外部のスマートフォンとの通信を介して前記貯蔵部にあるデータを前記スマートフォンに伝送するように動作を制御する。
【００１４】
本発明の好ましいある実施例によるスマートはかりにおいて、前記スマートはかりは温度センサ及び／または湿度センサを更に含む。
【００１５】
また、本発明の好ましいある実施例によるスマートはかりにおいて、前記ハウジングの外部に設置されて前記スマートはかりを把持するかかけて使用するように提供される掛け手段を更に含む。
【００１６】
また、本発明の好ましいある実施例によるスマートはかりにおいて、前記制御部は、前記入力エレメントの入力イベントに応じて生成される排便に関するデータを、前記無線通信モジュールを介して前記外部のスマートフォンに伝送する。
【発明の効果】
【００１７】
前記のような本発明によると、前記設定した様々な目的を達成する効果が得られる。新しいスマートはかりを介して、授乳量を測定し、授乳灯（睡眠灯）を利用して所望の環境を作ることができる。また、自分のスマートフォンに設置されているアプリケーションのみで授乳履歴だけでなく各種育児に関して必要な要素、例えば、睡眠、排便、離乳食などの多様な履歴を統合して効果的に管理することができる長所がある。
【００１８】
一方、ここで明示的に言及されていない効果であっても、本発明の技術的特徴によって期待される以下の明細書に記載された効果及びその暫定的な効果は、本発明の明細書に記載されているように取り扱われることを付言する。
【図面の簡単な説明】
【００１９】
【図１】本発明の好ましいある実施例によるスマートはかり１００の使用状態図である。
【図２】スマートはかり１００を把持する原理の例を提示する図である。
【図３】本発明の好ましいある実施例によるスマートはかり１００の外部ハウジングの構成例を示す図である。
【図４】本発明の好ましいある実施例による全体システムの構成を概略的に示す図である。
【図５】本発明の好ましいある実施例によるスマートはかり１００の内部の電子的構成例を示す図である。
【図６】図１の第１システム１と第２システム２が統合されて全体のシステム関係を概念的に示す図である。
【図７】本発明の授乳管理方法の全体のプロセスを概略的に示す図である。
【図８】本発明のスマートはかりで行われる様々な機能に関する動作プロセスを例示する図である。
【図９】本発明のスマートはかりで行われる様々な機能に関する動作プロセスを例示する図である。
【図１０】本発明のスマートはかりで行われる様々な機能に関する動作プロセスを例示する図である。
【図１１】本発明のスマートはかりで行われる様々な機能に関する動作プロセスを例示する図である。
【００２０】
※添付した図面は本発明の技術思想に関する理解のために参照として例示されることを明らかにし、本発明の権利範囲はそれによって制限されない。
【発明を実施するための形態】
【００２１】
図面を参照して本発明を説明する。但し、本発明を説明するに当たって、関連する公知機能について、本分野の技術者に自明な事項であって本発明の要旨を不明確にする恐れがあると判断される場合は、その詳細な説明は省略する。
【００２２】
まず、本発明のスマートはかりがどのような形態や用途を有するのかを十分に想像し理解し得るように、外部ハウジングの構成例について先に説明する。
【００２３】
図１は、本発明の好ましいある実施例によるスマートはかり１００を外部掛け４０にかけておいた状態を示す図である。発明者らは、直径が略１００〜２００ｍｍ、より好ましくは、１４０〜１７０ｍｍの円形ハウジングであって、厚さは略１０〜２０ｍｍを有する形態をデザインした。このような大きさと形態であれば軽くて使用が便利で携帯しやすく、どのような場所でも容易に使用し得るといえる。授乳は時と場所を選ばないため、授乳のために提供される本発明のスマートはかり１００も時と場所に制限されない方がよい。そうならば、図１に示したように、どこかに掛けておくこともでき、図２に示したように手で持ち歩くこともでき、図３に示したように平面上において使用することもできる。
【００２４】
スマートはかり１００のハウジングフロント１３０とハウジング背面の間には、円形のハウジングの周縁方向に溝１４０が形成されている。図１は、この溝１４０に収納されている紐状の掛け手段１４１を利用して外部掛け４０に掛けられることを示している。スマートはかり１００の保管を図１のようにしてもよく、肩にかけてもよい。また、後述するように、このような状態で授乳をする間に授乳灯１３２をオン（ｏｎ）にすることで、寝ている子供に効果的に授乳することができる長所がある。真夜中に授乳をする場合、子供が目を閉じて寝ているため保護者は部屋の電気をつけることが難しい状況である。本発明のスマートはかり１００は授乳灯１３２を備えているため、部屋の電気をつけなくても適切な状況で授乳することができる長所がある。
【００２５】
他の見方から本発明のスマートはかり１００の掛け手段１４１の構成を調べるためには、図２を参照することができる。ハウジングの周縁方向の溝に備えられている掛け手段１４１を引っ張ることで環状にすることができ、そのようにしてできた環を指で持っては辞することができる。
【００２６】
図３の実施例を見てみよう。図３（ａ）は平面状態のスマートはかり１００のハウジングの構成を、図３（ｂ）はある側面からのスマートはかり１００のハウジングの構成を例示している。
【００２７】
ハウジングフロント１３０の中央付近には哺乳瓶の重さ測定領域１３１があり、好ましくは、その領域１３１を中心に授乳灯１３２が設置されている。重さ測定領域１３１に哺乳瓶を載せると、内蔵されている重さセンサが哺乳瓶の重さを量る。
【００２８】
ハウジングフロント１３０には、いずれか一つの出力手段と一つ以上の入力手段が設置されている。入力手段は、好ましくは１つ以上のボタンからなる。スマートはかり１００の内部制御部のプログラミングされた機能を介して、一つのボタン１３６で予め決めた様々は機能を具現することができる。もちろん、電源ボタンと機能選択ボタンが分離されて別途に設置されてもよい。また、好ましくは、授乳灯ボタン１３７を別途に設置してもよい。
【００２９】
出力手段には、ＬＥＤ、ＬＣＤなどからなるディスプレーが含まれる。第１表示部１３３は、センサが測定したデータを数字（文字を含んでもよい）で、第２表示部１３４は様々な機能の状態を示す表示手段で構成される。これらの表示部１３３、１３４は、スマートはかりが提供する機能のインフォメーションを使用者に示す。ペアリング状態に関するアイコン、バッテリの状態、授乳前後のモードの表示、排便、離乳、就寝、温度、湿度などの機能を示すアイコンが表示されるように構成される。
【００３０】
図面の形状と視覚的に見える概略的な数値は確定的で正確な表現ではなく、本発明の構成を理解しやすくするためにその例示を提示したものであるため、大きさと形態の比例に多少の誇張があることを付言する。また、図１乃至図３で説明したスマートはかり１００の形態、大きさ、及び各構成の配置が多様に変形され得ることはもちろんである。
【００３１】
前記のようなスマートはかり１００の内部構成を調べる前に、システム観点でスマートははかり１００がどのような機能をするのかをより広い観点で考察してみよう。図４は、本発明の好ましいある実施例による全体システムの構成例を示している。本発明には、２つ異なるシステムが含まれる。
【００３２】
第１システム１は、スマートはかり１００と外部のスマートフォン１５０と間の近距離無線通信網で行われる通信システムである。そのような近距離無線通信網としては、ブルートゥース（登録商標）、ワイファイなどの技術標準が使用される。第１システム１において、主な技術内容はスマートはかり１００が哺乳瓶（図示せず）の授乳量を測定した授乳データ及び／または各種センサが測定するか入力イベントに応じて決められる幼児データをスマートフォン１５０に伝送するイベントが実行され、スマートフォン１５０がスマートはかり１００にそのようなデータを受信したという通知イベントを含む。このような第１システム１は、Ｎ（Ｎは１より大きい整数である）個存在する。つまり、第１システム１は、スマートはかり１００と外部のスマートフォン１５０が互いにペアリングされるシステムであるといえる。
【００３３】
第２システム２は、無線インターネット網を介して通信が行われるスマートフォン１５０とサービスサーバ２００と間のネットワークシステムである。図面ではサービスサーバ２００のみ含まれているが、これは例示的なものであり、後述するように授乳データベース２１０のみならずプッシュサーバ３００が含まれてもよい。
【００３４】
第２システム２ではスマートフォン１５０に予め設置されている授乳管理アプリケーションソフトウェアを実行することで通信が行われるが、スマートフォン１５０はスマートはかり１００から受信した授乳データ（各種センサが測定するか入力イベントに応じて決められる幼児データを含む。以下同様）をサービスサーバ２００に伝送し、サービスサーバ２００はこれを予め決めた規則に応じて保存・管理し、スマートフォン１５０のサービスサーバ２００に貯蔵されている授乳履歴情報を照会して閲覧する一連のイベントがこのシステムで行われる。
【００３５】
サービスサーバ２００は、複数のハードウェア及び／またはソフトウェア装置を含む。そうして前記スマートフォン１５０でアプリケーションが実行される際、スマートフォン１５０との無線通信でコンテンツを提供して、プロセスの実行を保障する。
【００３６】
また、サーバ２００は多数のデータベースを有する。データベース２１０は、スマートフォン１５０から受信した授乳データを記録する。この際、データベース２１０にはスマートフォン１５０から受信した授乳データに使用者情報及び時間（日付・時刻など）情報をマッチし、授乳履歴情報を生成して貯蔵する。その他のデータベースとしては、使用者のスマートフォン番号、使用者の名前、子供の名前、性別、年齢、体重などの情報を選別的に貯蔵する使用者情報データベース、第２システム２で行われる各種ログを記録するログデータベース、アプリケーションを介してユーザに提供されるコンテンツを貯蔵するコンテンツデータベースなどが含まれる。
【００３７】
プッシュサーバ３００は、サービスサーバ２００の要請を受けてスマートフォン１５０にお知らせイベントを通知する。
【００３８】
では、スマートはかり１０の内部構成について説明する。図５は、前記第１システム１に含まれているスマートはかり１００の内部の電子的構成例を概略に示している。
【００３９】
好ましくは、制御部１０１、重さセンサ１０２、温度センサ１０３ａ、湿度センサ１０３ｂ、ＢＬＥモジュール１０７、メモリ１０５、バッテリ１０６、表示エレメント１１０、及び入力エレメント１２０が含まれてもよい。
【００４０】
重さセンサ１０２は、スマートはかりのハウジングフロントの重さ測定領域に位置する哺乳瓶の重さを測定して制御部１０１に伝達する。好ましくは、授乳前の哺乳瓶を重さ測定領域に載せて授乳前の量を測定した後、授乳後の哺乳瓶を重さ測定領域に載せて授乳後の量を測定することで、子供に実際に授乳した量を正確に把握することができる。
【００４１】
温度センサ１０３ａ及び湿度センサ１０３ｂは、室内温度と湿度を測定して制御部１０１に伝達する。室内温湿度は子供を育てる保護者には非常に重要な情報であり、本発明のスマートはかり１００はこのように授乳量を測定するだけでなく、子供がいる環境の温湿度情報も一緒に提供することができる。
【００４２】
スマートはかり１００には、無線通信モジュールが設置されている。図５は、ＢＬＥモジュール１０７を提示している。ワイファイモジュールに代替されてもよい。しかし、電力消耗の面から見ると、低電力ブルートゥースディバイスが有利であると思われる。
【００４３】
貯蔵部の役割をするメモリ１０５は、前記重さセンサ１０２が測定した授乳データと、入力エレメント１２０の入力イベントによって予め決定した手順に応じて決められるデータなどを一時的に貯蔵する。
【００４４】
バッテリ１０６はスマートはかり１００の電子的構成要素に電力を供給する。親が携帯し、いつどこでも使用するディバイスであることを鑑みると、充電量バッテリであることが好ましい。ＵＳＢコネクタを利用して充電することがよく、そのバッテリ、充填回路、及びコネクタは公知の技術を使用してもよい。他の実施例では、切替可能なバッテリ、つまり、乾電池を使用しても構わない。
【００４５】
表示エレメント１１０は、一つ以上の表示手段からなる。センサが測定したデータをスマートはかり１００の外部に表示する表示部を含む。また、本明細書で説明するか容易に追加し得るスマートはかり１００の機能状態を示す表示手段を追加に含んでもよい。これは、図１及び図３にも例示的に示している。
【００４６】
一方、図示していないが、スマートはかり１００に設置される授乳灯のオン・オフと明るさ・色温度などを調節する回路が更に含まれることが好ましい。また、所定のサウンドを出力するスピーカ（図示せず）が更に含まれてもよい。
【００４７】
入力エレメント１２０は、ハードウェア及び／またはソフトウェアからなるボタンで構成されるが、この入力エレメント１２０を介して発生する外部入力イベントは制御部１０１に伝達される。
【００４８】
制御部１０１は、上述した内部の電子的構成の動作を制御する。特に、制御部１０１は各種センサによって測定されたデータと入力エレメント１２０によって入力されるイベントを処理・貯蔵・伝送して表示エレメント１１０を介して出力するか、外部のスマートフォンで決められた通信を行うようにスマートはかり１００を制御する。好ましくは、ＢＬＥモジュール１０７が外部のスマートフォンと通信することができなければ（例えば、スマートフォンが近距離になければ）、重さセンサ１０２で測定したデータをメモリ１０５に予め貯蔵するようにし、スマートフォンとの通信が更に開始される際、メモリ１０５にあるデータを外部のスマートフォンに伝送するようにＢＬＥモジュール１１０の動作を制御する。
【００４９】
図６は、図４で説明した第１システム１と第２システム２が統合されている全体のシステム関係を概念的に示している。まず、本発明の最適の実施例のうち一つである授乳管理の観点からのみ調べてみることにする。
【００５０】
まず、スマートはかり１００からはじめよう。スマートはかり１００は、哺乳瓶をオブジェクトにしてその重さを測定し、その測定したデータを授乳データ（ａ）として、近距離無線通信網を介してスマートフォン１５０の授乳管理アプリケーションに伝送する。
【００５１】
スマートフォン１５０には授乳管理アプリケーションが予め設置されている。授乳管理アプリケーションソフトウェアの主なモジュールとしては、例えば、ブルートゥースプロトコールを実行するモジュール、授乳データを送受信するモジュール、アプリケーション画面を介した授乳データの照会、各種データの入力などのユーザインタフェースモジュールが含まれる。また、後述する睡眠管理、排便管理、温湿度管理などに関する追加機能が更に含まれてもよい。
【００５２】
一方、授乳管理アプリケーション画面を介して提供されるアプリサービスのシナリオとして、以下のように授乳情報がスマートフォンの使用者に提供されることが考えられる：
−回数：今回飲むと５回
−授乳量：計２７０ｍｌ飲みました
−コメント：平素より２０ｍｌを更に飲みました
−授乳履歴リスト：時刻、回数、授乳量
スマートフォン１５０は、実行された授乳管理アプリケーションを介して授乳データ９９をサービスサーバ２００に伝送する。そして、サービスサーバ２００は授乳データベース２１０に収集されたデータ９７を記録する。
【００５３】
一方、サービスサーバ２００はスマートフォン１５０に授乳履歴情報を伝送する。他方、サービスサーバ２００はスマートフォンにお知らせイベントを通知するが、この際、予め決められたイベント９６をプッシュモジュール２３０に要請し、プッシュモジュール２３０はお知らせイベント９５をプッシュサーバ３００に要請する。プッシュサーバ３００のＡＰＮＳ／ＧＣＭモジュールは、お知らせメッセージ９４を生成してスマートフォン１５０に伝送する。
【００５４】
このような全体システムを介して、サービスサーバ２００は数多くのスマートフォンから授乳データ（その他、幼児に関して本発明のスマートはかりが測定するか記録する有意味なデータを含む）を確保し、予め登録されている幼児の年齢・性別・体重などの情報とマッチして有意味なビックデータを確保することができるようになる。また、親はあえてノートに記録するか頭で覚えなくても、お仕事で常に子供といることができなくても、自分のスマートフォンのアプリを介して子供の授乳履歴と成長環境や健康情報などを用意に確認することができる。
【００５５】
これで本特許文書の読者は本発明の精神と例示的な構成を十分に理解していると考えられる。本発明者らは、図７を介して、本発明の上述した２つのシステムが統合されて実行される授乳管理の基本プロセスを再度まとめて説明しようとする。
【００５６】
スマートはかり１００は、重さセンサを利用して測定された授乳データを、例えば、ブルートゥース通信でペアリングされたスマートフォン１５０に伝送する（Ｓ１０）。
【００５７】
好ましくは、スマートフォン１５０は授乳データを受信したことをスマートはかり１００に通知してもよい（Ｓ１１）。
【００５８】
次に、スマートフォン１５０は授乳管理アプリケーションソフトウェアを実行し、受信した授乳データをサービスサーバに伝送する（Ｓ２０）。すると、サービスサーバ２００は、予め登録したＮ個のスマートフォンに関する授乳データベース２１０にスマートフォンから受信した授乳データを貯蔵する（Ｓ３０）。
【００５９】
そして、前記サービスサーバ２００はＳ３１、Ｓ３２のように該当スマートフォン１５０に貯蔵結果を伝送する。
【００６０】
前記のようなプロセスは、一つのスマートフォン１５０に対して授乳の際に毎回繰り返される。そうならば、少なくともＮ個のスマートフォン１５０に対してＰ（Ｐは１以上の整数）回の授乳データベース２１０がアップデートされる。つまり、Ｎ×Ｐ分量の授乳データが蓄積されるのである。
【００６１】
また、このようなプロセスは、アプリケーションの実行と通信モジュールを介した通信を介して自然に行われることである。サービスサーバ２００は、プッシュサーバ３００にイベントのお知らせ要請をする（Ｓ４０）。すると、プッシュサーバ３００がＡＰＮＳ／ＧＣＭモジュールでイベントのプッシュ発送を命令し（Ｓ４１）、それを介して予め登録されているスマートフォン番号にお知らせイベントをプッシュする（Ｓ４２）。
【００６２】
一方、スマートフォンの使用者はアプリケーションを実行して自分のアカウントの授乳履歴情報の照会を要請することができるが（Ｓ５０）、するとサービスサーバ２００は授乳データベース２１０から授乳履歴情報を照会する（Ｓ６０）。その後、Ｓ６１、Ｓ６２を介してスマートフォン１５０に授乳履歴情報を通知する。
【００６３】
図７がネットワークの観点からプロセスを説明したのであれば、図８はディバイス観点からプロセスを例示する。使用者があり、はかりがある（便宜上、はかりもこのプロセスの主体であるため人間のように表示している）。使用者がスマートはかりで授乳量を測定するために機能選択ボタンを押せば（Ｓ１００）、まず授乳前の容量チェック（Ｓ１０１）の手順を実行する。使用者がスマートはかりの重さ測定領域に哺乳瓶を載せると、重さセンサが授乳前の重さを測定し、その重さを表示部を介して表示して表示し貯蔵する。使用者はボタンを再度押す。制御部はそれを授乳の進行と判断し、表示部に授乳の進行を示す（Ｓ１０２）。
【００６４】
授乳が終わると、使用者は再度重さ測定領域に哺乳瓶を載せ、授乳後の重さを測定する（Ｓ１０３）。重さセンサは授乳後の容量を測定して制御部に伝達し、制御部は授乳前の容量と授乳後の容量の差を授乳量として計算する。そして、ボタンを再度押すと制御部は授乳が完了したと判断し（Ｓ１０４）、データを貯蔵する（Ｓ１０５）。
【００６５】
図８のプロセスは、表示部インタフェースを介してユーザが直観的に分かるように案内される。一方、哺乳瓶を利用して粉乳を飲ます授乳だけでなく、離乳食を食べさせる離乳プロセスも同じ方法で行われる。
【００６６】
＜追加的な実施例＞
（１）本発明には、多様な機能が追加されてもよい。制御部は、入力エレメントの入力イベントに応じて予め設定された機能を行ってもよい。図９乃至図１１は、本発明の他の実施例におけるそのような追加的な機能のプロセスを簡明に提示している。その他、図示されていないが応用され得る様々な機能が本発明に一体に結合されてもよい。
【００６７】
（２）図９に示されているように、使用者は子供が大便をするたびに、スマートはかりで排便管理機能を選択するボタンを押す（Ｓ１１０）。すると、制御部は排便イベントと時間を記録してメモリに貯蔵する（Ｓ１２０）。図９のプロセスは、大小便イベントで実施されてもよい。
【００６８】
（３）図１０の実施例では、睡眠管理に関するスマートはかりの機能プロセスを例示する。上述したように、本発明の好ましいある実施例によるスマートはかりには授乳灯が設置されている。その授乳灯を利用して、子供によい睡眠環境を提供することができる。授乳灯の電源ボタンを押すと（Ｓ１２０）、睡眠灯がオンされる（Ｓ１２１）。再度押すと（Ｓ１２２）、睡眠灯がオフされる（Ｓ１２４）。明るさ・色温度などを調節し得るボタンが提供されることが好ましい。本発明は単に照明を提供する機能に留まらず、上述したように外部のスマートフォンと通信するプロセスによってデータを管理し得ることにより強力な特徴がある。そのために、スマートはかりは睡眠灯がオン・オフされるたびに睡眠イベントを貯蔵する（Ｓ１２９）。そして、貯蔵されたデータを外部のスマートフォンに適時に提供する。
【００６９】
（４）睡眠灯を授乳灯として使用してもよいことはもちろんである。スマートはかりのハウジングフロントにある授乳灯の電源ボタンを押すと（Ｓ１３０）、真夜中の授乳に役に立つ授乳灯が点灯され（Ｓ１３１）、再度押すと（Ｓ１３２）、授乳灯が消される（Ｓ１３３）。基本的に、図１１と図１０は同じプロセスで実施される。
【００７０】
睡眠灯の明るさを調節することは、ペアリングされたスマートフォンのアプリから実行することもできる。
【００７１】
（５）また、温湿度モードを適用することができる。ハウジングフロントの物理ボタンを介して、温湿度モードに進入することができる。外部のスマートフォンとのペアリングの際、時間値を取り入れて表示部に時間を表示する。ペアリングが行われていない状態では、時間値を表示しない。
【００７２】
（６）本発明の重さセンサが測定する単位は重さ（ｇ）と体積（ｍｌ）で測定することができ、使用者の入力イベントに応じて測定される単位が変更されるようにしてもよい。測定された値は表示エレメントに表示される。
【００７３】
本発明の保護範囲は、これまで明示的に説明した実施例の記載と表現に限らない。また、本発明の属する技術分野において自明な変更や置換によって本発明の保護範囲が制限されないことも再度付言する。
【図１】
2019529864.tif 000003
【図２】
2019529864.tif 000004
【図３】
2019529864.tif 000005
【図４】
2019529864.tif 000006
【図５】
2019529864.tif 000007
【図６】
2019529864.tif 000008
【図７】
2019529864.tif 000009
【図８】
2019529864.tif 000010
【図９】
2019529864.tif 000011
【図１０】
2019529864.tif 000012
【図１１】
2019529864.tif 000013
【国際調査報告】
2019529864.tif 000014
2019529864.tif 000015
2019529864.tif 000016
2019529864.tif 000017